(57)【要約】【課題】非常に簡易な構成でありながらペンホルダを必要に応じて着脱自在な構造とすることで、利便性や装飾性(デザイン性)の向上を図った文具用カバー体を提供する。【解決手段】文具２を被覆する外装部４と、ペン１０を保持するとともに、外装部に対して着脱自在な構造を成す保持部８とを備え、文具に外装される文具用カバー体Ａにおいて、外装部は、文具を装着するための文具装着手段と、保持部を取り付け可能及び取り外し可能とするための被着脱手段とを有し、保持部は、ペンを保持するための保持手段(ホルダ部８ａ)と、被着脱手段と連携することで、着脱自在とするための着脱手段とを有しており、外装部には、少なくとも一箇所が開口されたポケット６ａ,６ｂを設けるとともに、ポケットに被着脱手段として孔部６ｈを備え、保持部には、孔部の周縁部と係止させることが可能な係止部８ｂを着脱手段として備える。【選択図】図１
0003152855.tif 000002
【実用新案登録請求の範囲】
【請求項１】
文具を被覆する外装部と、ペンを保持するとともに、前記外装部に対して着脱自在な構造を成す保持部とを備え、文具に外装される文具用カバー体であって、
前記外装部は、前記文具を装着するための文具装着手段と、前記保持部を取り付け可能及び取り外し可能とするための被着脱手段とを有し、
前記保持部は、前記ペンを保持するための保持手段と、前記被着脱手段と連携することで、着脱自在とするための着脱手段とを有しており、
前記外装部には、少なくとも一箇所が開口されたポケットが設けられるとともに、当該ポケットに前記被着脱手段として孔部が備えられ、
前記保持部には、前記孔部の周縁部と係止させることが可能な係止部が着脱手段として備えられていることを特徴とする文具用カバー体。
【請求項２】
前記保持部は、前記保持手段としてホルダ部を備えており、
前記孔部は、前記ホルダ部を挿通することが可能である一方で、前記係止部を挿通することが不可能となるように、その大きさが設定されていることを特徴とする請求項１に記載の文具用カバー体。
【請求項３】
前記ホルダ部は、環状を成し、当該環状部分に挿通されたペンを嵌入することで、当該ペンを保持することを特徴とする請求項２に記載の文具用カバー体。
【請求項４】
前記ホルダ部は、略一定の幅に設定された帯状部材の両端部位を重ね合わせ、当該両端部位を固定することで環状に構成されており、前記係止部は、前記帯状部材の少なくとも一端部位を拡幅させて構成されていることを特徴とする請求項３に記載の文具用カバー体。
【請求項５】
前記保持部は、前記ホルダ部の径寸法を変更するための径寸法変更手段を有していることを特徴とする請求項３又は４に記載の文具用カバー体。
【請求項６】
前記保持部は、ペンの太さに応じて取り除くことが可能な調整部を前記径寸法変更手段として前記係止部に備えていることを特徴とする請求項５に記載の文具用カバー体。
【請求項７】
前記外装部は、２つの平面部位とこれらを連結する折り返し部位を有し、前記２つの平面部位が見開き状態から折り返し部位を中心として折り畳み可能に構成され、
前記ポケットは、前記折り返し部位へ向けて開口され、前記文具の一部を挿し込んで保持する前記文具装着手段として構成されていることを特徴とする請求項１から６のいずれかに記載の文具用カバー体。
【請求項８】
前記外装部及び前記保持部は、いずれも各種の皮革製であることを特徴とする請求項１から７のいずれかに記載の文具用カバー体。
【考案の詳細な説明】
【技術分野】
【０００１】
本考案は、例えば、手帳やノート、メモ等の文具類(書籍類も含む)、携帯端末(いわゆる電子文具)類などの外部(背側)に装着するための文具用カバー体に関し、特に当該カバー体に設けられたペン(一般的な筆記具や画面(タッチパネル)操作用のタッチペンなど)を保持するための保持部(ペンホルダ)の改良に関する。
【背景技術】
【０００２】
従来から、手帳やノート、メモ等の文具類や携帯端末類などは、使用時や携行時におけるこれらの保護及び補強を図ること、あるいは利便性を高めることなどを目的として、所定のカバー体を外装した状態で使用される場合がある(特許文献１参照)。かかるカバー体としては、例えば、皮革、合成樹脂、布など各種の素材で成り、所定のペン(鉛筆、シャープペンシル、ボールペン、サインペン及び万年筆等の筆記具、あるいは画面(タッチパネル)操作用のタッチペンなど)を保持しておくための保持部(ペンホルダ)を備えたもの(図３参照)、あるいはクレジットカードやキャッシュカードなどのカード類を収容しておくためのカードホルダを備えたもの、さらには、カバー体を外装した手帳などが不用意に開かないようにするためのファスナーやベルト等を備えたものなど、各種のタイプが知られている。
【０００３】
例えば、図３に示すように、所定のペン１０を保持するためのペンホルダ８０を備えたタイプのカバー体Ｂの場合、当該ペンホルダ８０に所定のペン１０を保持しておくことで、必要な時に直ちにメモ帳２０等にメモを取ることなどが可能となり、利便性の向上に資するという点においては、ペンホルダ８０が果たす役割は大きい。
【先行技術文献】
【特許文献】
【０００４】
【特許文献１】登録実用新案第３０６２９３２号公報
【考案の概要】
【考案が解決しようとする課題】
【０００５】
その一方で、ペン１０を保持する必要が無い場合や、メモ帳２０等の使用時や携行時などにおいては、ペンホルダ８０が必須の部材とはならない場合があり、この場合は逆に邪魔で不必要な部材となってしまうことも否めない。また、図３には、環状を成すペンホルダ８０がカバー体Ｂから大きく突出するように設けられ、所定のペン１０を挿通して嵌入させることで当該ペン１０を保持するカバー体Ｂの構成例を示しているが、このようにペンホルダ８０がカバー体Ｂから常に大きく突出するように設けられている場合、カバー体Ｂ自体の装飾性(デザイン性)を低下させる要因ともなりやすい。
【０００６】
本考案は、このような課題を解決するためになされており、その目的は、非常に簡易な構成でありながらペンホルダを必要に応じて着脱自在な構造とすることで、利便性の向上を図るとともに、装飾性(デザイン性)の向上を図った文具用カバー体を提供することにある。
【課題を解決するための手段】
【０００７】
このような目的を達成するために、本考案に係る文具用カバー体は、文具を被覆する外装部と、ペンを保持するとともに、前記外装部に対して着脱自在な構造を成す保持部とを備え、文具に外装される。かかる文具用カバー体において、前記外装部は、前記文具を装着するための文具装着手段と、前記保持部を取り付け可能及び取り外し可能とするための被着脱手段とを有し、前記保持部は、前記ペンを保持するための保持手段と、前記被着脱手段と連携することで、着脱自在とするための着脱手段とを有しており、前記外装部には、少なくとも一箇所が開口されたポケットが設けられるとともに、当該ポケットに前記被着脱手段として孔部が備えられ、前記保持部には、前記孔部の周縁部と係止させることが可能な係止部が着脱手段として備えられている。
【０００８】
この場合、前記保持部は、前記保持手段としてホルダ部を備えており、前記孔部は、前記ホルダ部を挿通することが可能である一方で、前記係止部を挿通することが不可能となるように、その大きさが設定されている。
【０００９】
その際、前記ホルダ部は、環状を成し、当該環状部分に挿通されたペンを嵌入することで、当該ペンを保持する。
例えば、略一定の幅に設定された帯状部材の両端部位を重ね合わせ、当該両端部位を固定することで前記ホルダ部を環状に構成し、前記係止部は、前記帯状部材の少なくとも一端部位を拡幅させて構成することができる。
【００１０】
なお、前記保持部は、前記ホルダ部の径寸法を変更するための寸法変更手段を有していてもよい。
また、前記外装部は、２つの平面部位とこれらを連結する折り返し部位を有し、前記２つの平面部位が見開き状態から折り返し部位を中心として折り畳み可能に構成し、前記ポケットは、前記折り返し部位へ向けて開口され、前記文具の一部を挿し込んで保持する前記文具装着手段として構成することができる。
【００１１】
以上のような構成の文具用カバー体において、前記外装部及び前記保持部は、公知の各種素材で構成することができ、例えば、いずれも各種の皮革製とすることが可能である。
【考案の効果】
【００１２】
本考案に係る文具用カバー体によれば、非常に簡易な構成でありながら、ペンホルダを必要に応じて着脱自在な構造とすることができる。この結果、例えば、手帳やノート、メモ等の文具類(書籍類も含む)、携帯端末(いわゆる電子文具)類などにカバー体を外装させることで、その利便性の向上を図るとともに、装飾性(デザイン性)の向上を図ることが可能となる。
【図面の簡単な説明】
【００１３】
【図１】本考案の一実施形態に係る文具用カバー体の構成を示す図であって、(ａ)は、保持部(ペンホルダ)が外装部(ポケット)へ取り付けられる前の見開き状態を示す図、(ｂ)は、保持部(ペンホルダ)の外装部(ポケット)への取り付け状態(係止部を孔部の周縁部へ係止させた状態)を示す図、(ｃ)は、文具(メモ帳)に文具用カバー体を外装させるともに、保持部(ペンホルダ)にペンを保持させた状態を示す図である。
【図２】保持部(ペンホルダ)の径寸法変更手段の構成を示す図であって、(ａ)は、保持部(ペンホルダ)の初期状態を示す図、(ｂ)は、取り除く調整部の領域を示す図、(ｃ)は、調整部を取り除いた後の保持部(ペンホルダ)の状態を示す図、(ｄ)は、保持部(ペンホルダ)に比較的小径のペンを保持した状態を示す図、(ｅ)は、保持部(ペンホルダ)に比較的大径のペンを保持した状態を示す図である。
【図３】従来の文具用カバー体の構成を示す図である。
【考案を実施するための形態】
【００１４】
以下、本考案の一実施形態に係る文具用カバー体について、添付図面を参照して説明する。なお、本考案の文具用カバー体(以下、単にカバー体ともいう)は、各種の文具を使用する際や携行する際、当該文具の保護や補強を図るべく、あるいは装飾性(デザイン性)を高めるべく、当該文具に外装される。この場合、カバー体が外装される文具としては、手帳やノート、メモ等の文具類(書籍類も含む)、携帯端末(いわゆる電子文具)類などを想定することができる。具体的には、見開いた状態で使用される手帳やノート、切り離し可能に一綴りとなったメモ帳、画面(タッチパネル)をタッチ操作して入力等の動作を行う電子辞書やゲーム機などが該当するが、本実施形態においては、上下(若しくは左右)に見開き可能なメモ帳をカバー体が外装される文具の一例として想定する。
【００１５】
また、上述したような各種の文具を外装可能であれば、カバー体(後述する外装部４及びペンホルダ８)の素材は特に限定されず、公知の各種素材で構成することができる。例えば、皮革、合成樹脂、布など各種の素材でカバー体を構成すればよいが、本実施形態においては、カバー体が各種の皮革製(本革製や合成皮革製)である場合を一例として想定する。その際、当該皮革は、一枚の革生地であってもよいし、二枚の革生地を重ね合わせたもの、さらには当該二枚の革生地の間に所定の芯材を介在させた二重構成(二枚合わせ)のものなどであってもよい。また、所定の箇所(後述する平面部位４ａ,４ｂ及び折返し部位４ｃなど)を別々の革生地で構成してつなぎ合わせることで、カバー体を構成してもよい。
【００１６】
図１(ａ)から(ｃ)には、本考案の一実施形態に係る文具用カバー体Ａの構成が示されており、当該カバー体Ａには、文具(一例として、メモ帳)２を被覆する外装部４と、ペン１０を保持するとともに、外装部４に対して着脱自在な構造を成す保持部(以下、ぺンホルダという)８が備えられている。なお、ペン１０としては、例えば、鉛筆、シャープペンシル、ボールペン、サインペン及び万年筆等の筆記具、あるいは画面(タッチパネル)操作用のタッチペンなど、各種のものを想定することができるが、本実施形態においては、文具として想定するメモ帳２への書き込みが可能な筆記具であれば何でも構わない。
【００１７】
外装部４は、２つの平面部位４ａ,４ｂとこれらを連結する折返し部位４ｃを有し、平面形状が文具２の見開き方向へ長尺となる四辺形(長方形)を成しており、２つの平面部位４ａ,４ｂが見開き状態から重なるように、折返し部位４ｃを中心として折り畳み可能に構成されている。なお、図１(ａ)から(ｃ)には、平面形状が文具２の見開き方向へ長尺となる四辺形(角部に面取りを施した長方形)を外装部４の一構成例として示しているが、外装部の構成(形状及び大きさ)はこれに限定されず、例えば、文具の見開き方向へ短尺となる四辺形であってもよいし、平面形状が円形や楕円形、あるいは四辺形以外の多辺形などであっても構わない。すなわち、外装される文具の構成(形状及び大きさ)に応じて任意の形状や大きさに構成すればよい。
【００１８】
外装部４は、各平面部位４ａ,４ｂがそれぞれ文具２の見開き１ページ分の平面領域よりも一回り大きな大きさとし、これらの平面部位４ａ,４ｂが文具２の見開き方向の略中間位置で連結されるように折返し部位４ｃを介在させて構成する。これにより、文具(一例として、メモ帳)２を見開いた状態(別の捉え方をすれば、使用状態)、及び折り畳んで閉じた状態(同、携行状態)のいずれにおいても、外装部４を当該文具２の背側(見開き側の反対側)の全体を被覆可能な構成とすることができる。
なお、本実施形態においては、見開き状態から折り畳み可能となるように、２つの平面部位４ａ,４ｂと折返し部位４ｃで外装部４を構成しているが、例えば、外装部は、折り畳んで閉じた状態における文具２の背側全体(メモ帳２の裏表紙２ａ)のみを被覆可能な構成とすることも可能である(外装部４を平面部位４ａのみとした構成に相当)。
【００１９】
外装部４は、文具２を装着するための文具装着手段を有している。文具装着手段としては、例えば、文具を挿し込むことが可能なポケット、文具に形成された穴と連結される開閉可能なリング、文具を挟み込むことが可能なクリップなどを想定することができる。図１(ａ)には、外装部４の双方の平面部位４ａ,４ｂの見開き側に対し、文具２の一部(一例として、メモ帳２の表紙２ｂと裏表紙２ａ(図１(ｃ)参照))を挿し込んで保持するポケット６ａ,６ｂを文具装着手段としてそれぞれ形成した外装部４の構成を、一例として示している。なお、ポケットは、外装部４のいずれか一方の平面部位(平面部位４ａ若しくは４ｂ)の見開き側のみに形成してもよい。
【００２０】
図１(ａ)に示す構成においては、外装部４の一方の平面部位４ａに対し、その見開き側に当該平面部位４ａと略同一の大きさの四辺形を成す革生地を重ね、当該革生地の折返し部位４ｃ側を除く３つの外周縁を平面部位４ａへ固定することで、折返し部位４ｃ側に開口を有するポケット６ａが文具装着手段の一例として形成されている。なお、平面部位４ａに重ねた革生地の２つの外周縁(折返し部位４ｃ側及びその反対側を除いた外周縁)を平面部位４ａへ固定することで、折返し部位４ｃ側及びその反対側の両方に開口を有するポケットを文具装着手段として形成してもよい。
また、外装部４の他方の平面部位４ｂに対しては、その見開き側に当該平面部位４ｂの略半分程度の大きさの四辺形を成す革生地を、４つの外周縁のうちの２つが平面部位４ｂの外周縁に沿うように重ね、平面部位４ｂの外周縁と沿う革生地の２つの外周縁を当該平面部位４ｂへ固定することで、折返し部位４ｃ側、及び見開き方向と直交する一方側に開口を有するポケット６ｂが文具装着手段の一例として形成されている。
【００２１】
外装部４が文具装着手段としてポケット６ａ,６ｂを備えることで、これらに文具２の一部をそれぞれ挿し込むことにより、当該文具２に対してカバー体Ａを外装することができる。この場合、一例として、ポケット６ａにメモ帳２の裏表紙２ａを挿し込むとともに、ポケット６ｂに当該メモ帳２の表紙２ｂを挿し込めばよい(図１(ｃ))。
なお、ポケット６ａ,６ｂは、文具２の一部(一例として、メモ帳２の表紙２ｂや裏表紙２ａ)を挿し込んで装着することが可能であれば、その大きさは特に限定されない。また、ポケット６ａ,６ｂを形成する際、革生地の平面部位４ａ,４ｂへの固定方法は、縫製、ビス止め、接着、溶着など、公知の各種方法を適用すればよい。
【００２２】
このようなカバー体Ａにおいて、ペンホルダ８は、ペン１０(一例として、筆記具)を保持するための保持手段と、後述する外装部４の被着脱手段(ポケット６ａに備えられた孔部６ｈ)と連携することで、外装部４に対して着脱自在とするための着脱手段を有している。図１(ａ)には、外装部４のポケット６ａへペンホルダ８を着脱自在に設けた構成を一例として示している。この場合、ペンホルダ８は、環状を成し、当該環状部分に挿通されたペン１０(一例として、筆記具)を嵌入して保持するためのホルダ部８ａを保持手段として備えているとともに、孔部６ｈの周縁部と係止させることが可能な係止部８ｂを着脱手段として備えており、当該係止部８ｂを必要に応じて前記孔部６ｈの周縁部と係止させることで、外装部４へ着脱自在な構造となっている。
【００２３】
ホルダ部８ａは、略一定の幅(図１(ｂ)に示す寸法Ｗ１)に設定された帯状部材(一例として、帯状の革生地)の両端部位を重ね合わせ、当該両端部位を固定(例えば、縫製、ビス止め、接着、溶着など)することで環状に構成されており、係止部８ｂは、前記帯状部材(帯状の革生地)の少なくとも一端部位(一例として、両端部位)を拡幅させて構成されている。その際、重ね合わせた革生地の両端部位の両側縁をそれぞれ所定の長さで拡幅し、対称的に突出させるように係止部８ｂを構成すればよい(図１(ｂ)に示す寸法Ｌ２及びＷ２参照)。すなわち、ペンホルダ８は、その平面形状が略Ｔ字状を成すように構成されている(Ｗ１＜Ｗ２)(図２(ａ)参照)。ただし、ペンホルダ８は、重ね合わせた帯状部材(一例として、帯状の革生地)の両端部位の両側縁を非対称に突出させた構成とすることも可能であるし、一方の側縁のみを突出させた構成とすることも可能である。また、ホルダ部８ａは、一定の幅(図１(ｂ)に示す寸法Ｗ１)ではなく、任意の箇所を異なる幅とした構成とすることも可能である。
【００２４】
これに対し、外装部４には、ペンホルダ８を取り付け可能及び取り外し可能とするための被着脱手段として、ポケット６ａの内外を連通させる孔部６ｈが備えられている。孔部６ｈは、ペンホルダ８のホルダ部８ａを挿通することが可能である一方で、当該ペンホルダ８の係止部８ｂを挿通することが不可能となるように、その大きさが設定されている。図１(ａ)には、文具２の見開き方向に長尺の貫通孔(長孔)として穿孔された孔部６ｈの構成例を示している。この場合、孔部６ｈの最大径(図１(ｂ)に示す寸法Ｄ１)は、ペンホルダ８のホルダ部８ａの幅寸法ｗ１よりも僅かに大寸で、かつ当該ペンホルダ８の係止部８ｂの幅寸法ｗ２よりも小寸に設定されている。なお、図１(ａ)において、孔部６ｈは、ポケット６ａの開口近傍で、かつ見開き方向と直交する方向の一方側端部(ポケット６ｂの配設位置とは逆側)に配されているが、孔部の配孔位置はこれに限定されず、任意に設定することが可能である。例えは、見開き方向と直交する方向に対してポケット６ｂの配設位置と同一側や、見開き方向の端部(外周縁部)などに孔部を配した構成であってもよい。
【００２５】
これにより、外装部４のポケット６ａへペンホルダ８を一旦収容し、当該ポケット６ａの内側から外側へ向け、孔部６ｈにホルダ部８ａをその径方向から挿通することができるとともに、挿通したホルダ部８ａを孔部６ｈから突出させることができる。さらに、係止部８ｂが孔部６ｈの周縁部へ当接されるまでホルダ部８ａを孔部６ｈへ挿通する(若しくは、孔部６ｈから引き出す)ことで、ホルダ部８ａがポケット６ａの孔部６ｈから突出した状態で係止部８ｂを孔部６ｈの周縁部へ係止させることができる(図１(ｂ)参照)。すなわち、ペンホルダ８を外装部４(具体的には、ポケット６ａ)に対して容易に取り付けることができる。
【００２６】
そして、孔部６ｈから突出したホルダ部８ａに対し、所定のペン１０(一例として、筆記具)を挿通して嵌入させることで、当該ペン１０と孔部６ｈが干渉し、ペンホルダ８が外装部４(具体的には、ポケット６ａ)に対して位置決め固定されるとともに、当該ペンホルダ８にペン１０を保持することができる(図１(ｃ)参照)。なお、その際、ペン１０がクリップ１０ｃ付きのものである場合(図１(ｃ))、当該クリップ１０ｃでホルダ部８ａを挟むことで、より安定してペンホルダ８にペン１０を保持することが可能となる。
【００２７】
なお、環状を成すホルダ部８ａの径寸法(図１(ｂ)及び図２(ａ)に示す寸法Ｌ１)は、保持するペン１０の太さ(径寸法)に応じて任意に設定すればよいが、当該ペン１０の最も細い部位(例えば、ペン先)の径寸法(最小径寸法)よりも大寸で、かつ最も太い部位(例えば、ペン軸)の径寸法(最大径寸法)よりも小寸に設定することが好ましい。これにより、所定のペン１０をペン先からホルダ部８ａへ挿通し嵌入していくと、そのペン軸部分でホルダ部８ａへ隙間なく密着させることができ、当該ペン１０をペンホルダ８に安定して保持することが可能となる。逆に、ホルダ部８ａに嵌入されたペン１０のペン軸部分を把持し、ホルダ部８ａから引き抜くことで、当該ペン１０を容易にペンホルダ８から取り外すことができる。
【００２８】
また、本実施形態において、ペンホルダ８は、ホルダ部８ａの径寸法を変更するための径寸法変更手段を有している。図２(ａ)から(ｃ)には、保持するペン１０(一例として、筆記具)の太さに応じて取り除くことが可能な調整部８ｃを、径寸法変更手段として前記係止部８ｂに備えたペンホルダ８の構成の一例を示している。これにより、ペンホルダ８を、保持するペン１０(一例として、筆記具)の太さに応じてホルダ部８ａの径寸法を容易に拡大変更可能な構成としている(図２(ｄ)及び(ｅ)参照)。
【００２９】
この場合、ペンホルダ８は、ホルダ部８ａ(幅寸法ｗ１の部分)と比較して係止部８ｂ(幅寸法ｗ２の部分)を大きく設定することで、その拡大領域として調整部８ｃを設けた構成となっている(Ｌ１＜Ｌ２)(図２(ａ)参照)。そして、調整部８ｃ(別の捉え方をすれば、係止部８ｂの一部)を取り除く(一例として、切除する)ことで(図２(ｂ)参照)、容易にホルダ部８ａを拡大させることができる(同図(ｃ)参照)。すなわち、ペンホルダ８における幅寸法ｗ２の部位が一部取り除かれる(一例として、切除される)ことで、幅寸法ｗ１の部位が拡大されることになる。
【００３０】
したがって、係止部８ｂが孔部６ｈの周縁部へ係止されるまでホルダ部８ａを当該孔部６ｈから引き出すと、幅寸法ｗ１の部位であるホルダ部８ａが、前記拡大分(切除した調整部８ｃの領域に相当)だけポケット６ａの孔部６ｈから余計に突出した状態となる。つまり、幅寸法ｗ１の部位の拡大分だけホルダ部８ａの径寸法を拡大させることができる。
これにより、文具２の所有者が使用するペン１０(一例として、筆記具)の大きさに応じ、当該所有者自身が容易にホルダ部８ａの径寸法を変更(調節)することが可能となる(図２(ｄ)及び(ｅ)参照)。
【００３１】
一方、ホルダ部８ａに挿通された所定のペン１０(一例として、筆記具)を当該ホルダ部８ａから引き抜き、ポケット６ａの孔部６ｈから突出した状態のホルダ部８ａをポケット６ａの内側へ向けて押し込むことで、孔部６ｈの周縁部へ係止されていた係止部８ｂを係止状態から開放させることができる。さらに、ホルダ部８ａが孔部６ｈから完全に抜け出るまで当該ホルダ部８ａをポケット６ａの内側へ向けて押し込む(若しくは、係止部８ｂをポケット６ａの内側へ向けて引っ張る)ことで、ペンホルダ８を外装部４(具体的には、ポケット６ａ)から容易に取り外すことができる。なお、取り外したペンホルダ８をポケット６ａ内に収容しておくことで、紛失などを有効に防止でき、再びペンホルダ８を外装部４(具体的には、ポケット６ａ)に対して取り付ける際、その取付作業をスムーズに行うことが可能となる。
【００３２】
このように、本実施形態に係るカバー体Ａによれば、非常に簡易な構成でありながら、ペンホルダ８を外装部４に対して必要に応じて容易に着脱可能な構造とすることができる。これにより、文具２にカバー体Ａを外装させつつ、文具２の所有者が必要に応じて任意にペンホルダ８を取り付けた状態、あるいは取り外した状態で文具２を使用、若しくは携行することができる。
したがって、例えば、ペン１０を保持する必要が無い場合や、文具２の使用時や携行時などにおいてはペンホルダ８を取り外すことができ、ペンホルダ８が邪魔になることがない。また、ペンホルダ８を取り外すことで、当該ペンホルダ８がカバー体Ａから大きく突出することもなく、カバー体Ａ自体のデザイン自由度を向上させることができる。
すなわち、例えば、手帳やノート、メモ等の文具類(書籍類も含む)、携帯端末(いわゆる電子文具)類などにカバー体Ａを外装させることで、その利便性の向上を図るとともに、装飾性(デザイン性)の向上を図ることが可能となる。
【符号の説明】
【００３３】
２  文具
４  外装部
６ａ,６ｂ  ポケット
６ｈ  孔部
８  保持部
８ａ  ホルダ部
８ｂ  係止部
１０  ペン
Ａ  文具用カバー体
【図１】
0003152855.tif 000003
【図２】
0003152855.tif 000004
【図３】
0003152855.tif 000005